(57)【要約】【課題】例えばカメラ用三脚ケ−スに好適で、嵩張らず軽量で三脚収納時の移動に至便であり、写真撮影時には、いわゆるスト−ンバッグとして使用でき、三脚の安定性を図るとともに、雨天時や厳寒時にはカメラの雨避けや防寒用に使用でき、また簡易なザックとしても使用可能で、多様な使用を図れるようにした三脚ケ−スを提供すること。【解決手段】開閉可能な開口部１１を介して内部に三脚３３を収納可能な袋状のケ−ス１を設ける。前記ケ−ス１の周面に手提ベルト３０を設けた三脚ケ−スであること。前記ケ−ス１のケ−ス回り周面に少なくとも三個の掛止具１６，２６，２７を設ける。【選択図】        図１
2004338739.tif 000002
【特許請求の範囲】
【請求項１】
開閉可能な開口部を介して内部に三脚を収納可能な袋状のケ−スを設け、該ケ−スの周面に手提ベルトを設けた三脚ケ−スにおいて、前記ケ−スのケ−ス回り周面に少なくとも三個の掛止具を設けたことを特徴とする三脚ケ−ス。
【請求項２】
前記掛止具を前記ケ−スの一側端の閉塞端部側に設けた請求項１記載の三脚ケ−ス。
【請求項３】
前記ケ−スのケ−ス回り周面に、三個の掛止具を略等間隔に設けた請求項１記載の三脚ケ−ス。
【請求項４】
前記ケ−スの閉塞端部の内側に、前記ケ−スの他側端部から前記閉塞端部に亘る、ケ−スの一部を収容可能な凹状部を形成可能にし、該凹状部の開口縁部に前記掛止具を配置可能にした請求項２記載の三脚ケ−ス。
【請求項５】
前記掛止具の一個を、前記開口部と同側のケ−スの一側面の幅方向の略中央に設け、前記掛止具の二個を前記ケ−スの他側面の幅方向の略両端部に設けた請求項３記載の三脚ケ−ス。
【請求項６】
前記ケ−スの閉塞端部側を、ケ−スの他側端部よりも大径ないし幅広に形成した請求項２記載の三脚ケ−ス。
【請求項７】
前記ケ−スの閉塞端部周辺に、柔軟な弾性部材を封入した請求項２記載の三脚ケ−ス。
【請求項８】
前記ケ−スの両端部と中間部に独自に束縛可能な束縛ベルトを設け、該束縛ベルトを介して当該ケ−ス回りを束縛可能にした請求項１記載の三脚ケ−ス。
【請求項９】
前記ケ−スの閉塞端部内に被収納物を収納可能に設けるとともに、前記ケ−スの他側端部側を折り返し可能に設け、該ケ−スの他側端部を前記閉塞端部側周面に重合し、これらケ−スの他側端部と閉塞端部とを前記束縛ベルトを介して束縛可能にした請求項８記載の三脚ケ−ス。
【請求項１０】
前記ケ−スの他側端部側を、前記中間部の束縛ベルトを中心に前記ケ−スの一側面側に折り返し可能に設けるとともに、前記ケ−スの一側面の他側端部に掛止具を設け、該掛止具を同側面の前記掛止具に掛け止め可能にした請求項８記載の三脚ケ−ス。
【請求項１１】
前記ケ−スの他側面に、前記中間部の束縛ベルト位置からケ−スの一側端部に亘って、前記手提ベルトを配置した請求項８記載の三脚ケ−ス。
【発明の詳細な説明】
【０００１】
【発明の属する技術分野】
本発明は、例えばカメラ用三脚ケ−スに好適で、嵩張らず軽量で三脚収納時の移動に至便であり、写真撮影時には、いわゆるスト−ンバッグとして使用でき、三脚の安定性を図るとともに、雨天時や厳寒時にはカメラの雨避けや防寒用に使用でき、また簡易なザックとしても使用可能で、多様な使用を図れるようにした三脚ケ−スに関する。
【０００２】
【従来の技術】
例えば写真やビデオの撮影に三脚が使用され、該三脚は一般に三脚ケ−スに収納されて持ち運ばれている。
前記三脚ケ−スは、一般に適宜折り畳んだ三脚を収納可能な袋状に構成されている。例えば従来の三脚ケ−ス、長尺な袋状の三脚収納部と、該収納部の表面下部に設けた小物収納部とを備え、三脚収納部の背面に肩掛け用のショルダ−ベルトを設けている。
前記小物収納部は裏返し可能に構成され、裏返した小物収納部に、三脚取り出し後の三脚収納部を折り畳んで収納可能にし、一方、三脚にカメラを装着しての写真撮影時、前記小物収納部に石等の重量物を入れ、これを三脚の脚部に吊り下げて三脚のがたつきを防止するようにしていた（例えば、特許文献１参照）。
【０００３】
しかし、この従来の三脚ケ−スは、三脚を三脚収納部に単に収納しているため、三脚ケ−スの持ち運び時に三脚が揺動して持ち運び辛く、また三脚との擦過によって三脚収納部が損傷する惧れがあった。
更に、ショルダ−ベルトを肩掛け用に使用する場合、単一のショルダ−ベルトでは不安定であり、これに三脚や他の収納物が揺動する等して、使用し辛かった
また、三脚ケ−スをいわゆるスト−ンバッグとして使用する場合、ストラップを三脚の脚部に掛けて小物収納部を吊り下げているため、小物収納部が三脚の重心から偏在し、却って三脚の不安定性が助長される等の問題があった。
【０００４】
一方、出願人は三脚のがたつき防止用として、専用のスト−ンバッグを既に提案している。すなわち、前記スト−ンバッグは、布製の正三角形の保持具本体を備え、該保持具本体の隅角部にフック金具を取り付け、該金具を三脚の脚部に取り付け可能にする一方、保持具本体の中央に重し部材を収容可能なポケットを設け、該ポケットの開口部を緊縛かつ開閉可能にしていた（例えば、特許文献２参照）。
【０００５】
しかし、この従来のスト−ンバッグは基本的に専用製品であり、スト−ンバッグ以外に雨天時や厳寒時にカメラの雨避けや防寒用に使用できるが、その他の使用は難しく、予てよりその広範な使用を図れるものの開発が望まれていた。
【０００６】
【特許文献１】
登録実用新案第３０１７１５７号公報
【特許文献２】
特開２００１−３１７６８７号公報
【０００７】
【発明が解決しようとする課題】
本発明はこのような問題を解決し、例えばカメラ用三脚ケ−スに好適で、嵩張らず軽量で三脚収納時の移動に至便であり、写真撮影時には、いわゆるスト−ンバッグとして使用でき、三脚の安定性を図るとともに、雨天時や厳寒時にはカメラの雨避けや防寒用に使用でき、また簡易なザックとしても使用可能で、多様な使用を図れるようにした三脚ケ−スを提供することを目的とする。
【０００８】
【課題を解決するための手段】
このため、請求項１の発明は、開閉可能な開口部を介して内部に三脚を収納可能な袋状のケ−スを設け、該ケ−スの周面に手提ベルトを設けた三脚ケ−スにおいて、前記ケ−スのケ−ス回り周面に少なくとも三個の掛止具を設け、三脚を収納したケ−スを手提ベルトによって容易に持ち運び可能にするとともに、前記掛止具を介して三脚の所定位置に取り付け可能にし、三脚ケ−スをスト−ンバッグとして使用可能にするとともに、簡易なザックとしても使用可能にして、多様な用途に応じられるようにしている。
請求項２の発明は、前記掛止具を前記ケ−スの一側端の閉塞端部側に設け、三脚ケ−スのスト−ンバッグとしての使用と、該バッグのコンパクト化を図るようにしている。
【０００９】
請求項３の発明は、前記ケ−スのケ−ス回り周面に、三個の掛止具を略等間隔に設け、三脚ケ−スをスト−ンバッグとして使用する際、掛止具を介して三脚の脚の内側にケ−スを容易かつ安定して取り付けられ、三脚ケ−スとスト−ンバッグの重心位置を整合させて、三脚の安定性を向上するようにしている。
請求項４の発明は、前記ケ−スの閉塞端部の内側に、前記ケ−スの他側端部から前記閉塞端部に亘る、ケ−スの一部を収容可能な凹状部を形成可能にし、該凹状部の開口縁部に前記掛止具を配置可能にし、前記凹状部に重し部材を収容可能にするとともに、掛止具を三脚の脚に容易に取り付けられるようにして、三脚ケ−スのスト−ンバッグとしての使用を実現する一方、前記凹状部にケ−スの一部を収容可能にすることで、石やカメラ器具等を重し部材として使用する際、それらの間にケ−スの一部を介在させ、またはケ−スで包む等して、カメラ器具の損傷を防止するようにしている。
【００１０】
請求項５の発明は、前記掛止具の一個を、前記開口部と同側のケ−スの一側面の幅方向の略中央に設け、前記掛止具の二個を前記ケ−スの他側面の幅方向の略両端部に設け、スト−ンバッグとして使用可能な具体的かつ製作容易な三脚ケ−スを提供している。
請求項６の発明は、前記ケ−スの閉塞端部側を、ケ−スの他側端部よりも大径ないし幅広に形成し、三脚ケ−スをスト−ンバッグや雨避け、防寒具として使用する際、重し部材の収容スペ−スを確保し、また種々のカメラの被着に応じられるようにするとともに、三脚の石突き側をケ−スの先細側に収納することで、三脚収納後にケ−スを幅方向への折り返して束縛する際、先細側の折り返しの面倒を解消するようにしている。
請求項７の発明は、前記ケ−スの閉塞端部周辺に、柔軟な弾性部材を封入し、三脚ケ−スを雨避けや防寒具として使用する際の浸水防止効果や、断熱効果を向上し、更に緩衝効果を持たせて、カメラ等を防護するようにしている。
【００１１】
請求項８の発明は、前記ケ−スの両端部と中間部に独自に束縛可能な束縛ベルトを設け、該束縛ベルトを介して当該ケ−ス回りを束縛可能にし、三脚とケ−スを一緒に束縛して、ケ−ス内での三脚の移動を防止し、ケ−スの損傷や磨耗を防止するとともに、三脚を収納したケ−スを安定して持ち運べるようにしている。
請求項９の発明は、前記ケ−スの閉塞端部内に被収納物を収納可能に設けるとともに、前記ケ−スの他側端部側を折り返し可能に設け、該ケ−スの他側端部を前記閉塞端部側周面に重合し、これらケ−スの他側端部と閉塞端部とを前記束縛ベルトを介して束縛可能にし、写真撮影時のカメラの雨避けや防寒効果を得られ、またカメラ等をケ−ス内に密封することで、前記効果を向上するようにしている。
【００１２】
請求項１０の発明は、前記ケ−スの他側端部側を、前記中間部の束縛ベルトを中心に前記ケ−スの一側面側に折り返し可能に設けるとともに、前記ケ−スの一側面の他側端部に掛止具を設け、該掛止具を同側面の前記掛止具に掛け止め可能にして、三脚ケ−スを簡易なザックとして容易に使用し得るようにしている。
請求項１１の発明は、前記ケ−スの他側面に、前記中間部の束縛ベルト位置からケ−スの一側端部に亘って、前記手提ベルトを配置し、手提ベルトの短小化と持ち運び時の安定化を図るとともに、三脚ケ−スを簡易ザックとして使用する際のショルダ−ベルトないし背負ベルトに好適にしている。
【００１３】
【発明の実施の形態】
以下、本発明をカメラ用の三脚ケ−スに適用した図示の実施形態について説明すると、図１乃至図８において１は横長袋状の布製のケ−スで、これは軽量かつ柔軟な化学繊維製の表側布２と裏側布３の周縁を縫着して、図１および図２のように、一側端から他側端に向かって緩やかに幅員が漸増する略矢尻状に形成されている。
【００１４】
前記裏側布３の一端側、つまり先細側に、ケ−ス１の長さの略半分長に亘って、裏側布３と略同質の補強布４の周縁が縫着されている。
また、表側布２と裏側布３の他端側、つまり先太側の両面に、ケ−ス１の長さの略１／４長に亘って、表側布２若しくは裏側布３と略同質の補強布５，６の周縁が縫着され、該補強布５，６と、対応する表側布２または裏側布３との間に、柔軟で軽量なポリウレタン等の弾性部材７，８が介挿されている。
図中、９，１０は前記補強布５，６の一側端と、表側布２および裏側布３の境界部に亘って縫着した帯状の取付布で、前記補強布５，６と略同質布で構成されている。
【００１５】
前記表側布２の中央に、ケ−ス１の長さ方向に沿って開口部１１が形成され、該開口部１１の端縁にスライドファスナ−１２が縫着され、該ファスナ−１２の操作片１３，１４を介して、前記開口部１１をそれぞれ開閉可能にしている。
前記ケ−ス１の先細側の開口部１１の一端に、掛止具である略Ｄ字形状の合成樹脂製の掛止リング１５が揺動可能に取り付けられ、また開口部１１の他端に掛止具であるフック金具１６が揺動可能に取り付けられ、前記掛止リング１５を掛け止め可能にしている。
【００１６】
前記補強布４の一端側、つまり先細側に、補強布５，６と略同質の帯状の束縛ベルト１７が、ケ−ス１の長さ方向と直交して縫着され、その両端がケ−ス１の両側に突出していて、それらの突出長さを相違させている。
すなわち、前記束縛ベルト１７はケ−ス１の一側に偏在して取り付けられ、その長尺側の束縛ベルト１７に、掛止具である合成樹脂製の係止爪１８が位置調節可能に取り付けられている。
また、短小側の束縛ベルト１７はケ−ス１の他側に位置し、その先端部に掛止具である合成樹脂製のソケット１９が取り付けられ、前記係止爪１８と係脱可能にされている。
【００１７】
前記補強布４の他端側に、前記束縛ベルト１７と同様な帯状の束縛ベルト２０が、ケ−ス１の長さ方向と直交して縫着され、その両端がケ−ス１の両側に突出していて、それらの突出長さを相違させている。
すなわち、前記束縛ベルト２０は、ケ−ス１の他側、つまり前記束縛ベルト１７と反対側に偏在して取り付けられ、その長尺側の束縛ベルト２０に、掛止具である合成樹脂製の係止爪２１が位置調節可能に取り付けられている。
また、短小側の束縛ベルト２０はケ−ス１の一側に位置し、その先端部に掛止具である合成樹脂製のソケット２２が取り付けられ、前記係止爪２１と係脱可能にされている。
【００１８】
更に、前記補強布６の略中間部に、束縛ベルト１７と同様な帯状の束縛ベルト２３がケ−ス１の長さ方向と直交して縫着され、その両端がケ−ス１の両側に突出していて、それらの突出長さを相違させている。
すなわち、前記束縛ベルト２３は、束縛ベルト２０と同様にケ−ス１の他側に偏在して取り付けられ、その長尺側の束縛ベルト２３に、掛止具である合成樹脂製の係止爪２４が位置調節可能に取り付けられている。
また、短小側の束縛ベルト２３はケ−ス１の一側に位置し、その先端部に掛止具である合成樹脂製のソケット２５が取り付けられ、前記係止爪２４と係脱可能にされている。
【００１９】
前記取付布１０の一側に、前記フック金具１６と同様な掛止具であるフック金具２６，２７が、互いに離間して揺動可能に取り付けられている。
これらのフック金具１６，２６，２７は、ケ−ス１のケ−ス回り（胴部周面）に略等間隔位置に取り付けられ、後述する三脚の脚部に取り付けた掛止具に掛け止め可能にされている。
【００２０】
前記束縛ベルト２０上に合成皮革製の堅牢な補強板２８が縫着され、該補強板２８を介して、手提リング２９の両端部と、ショルダ−ベルトないし背負ベルトを兼ねる化学繊維製の一対の手提ベルト３０，３０の一端とが、束縛ベルト２０に取り付けられている。
前記手提ベルト３０は、束縛ベルト２０よりも柔軟かつ肉厚で幅広に形成され、その他端に合成樹脂製の継手具３１が取り付けられ、該継手具３１に連結ベルト３２が長さ調整可能に接続されている。
前記連結ベルト３２は束縛ベルト１７と同質部材で構成され、その基端部が表側布２および裏側布３と一体に縫着されている。
【００２１】
図中、３３はカメラ用の三脚で、その脚３４〜３６を三段階に伸縮可能にしており、前記脚３４〜３６の同高位置に装着ベルト３７〜３９を取り付けている。
前記装着ベルト３７〜３９は束縛ベルト１７と同質部材で構成され、その適宜位置に継手（図示略）と押圧式ファスナ−布（図示略）とが取り付けられ、これを脚３４〜３６の所定のロックナット４９上に巻き付けて束縛し、その束縛位置を保持可能にしている。
【００２２】
前記装着ベルト３７〜３９に、掛止具であるＤ字形状の掛止リング４０〜４２が取り付けられ、これらのリング４０〜４２に前記フック金具１６，２６，２７が掛け止められて、ケ−ス１が吊り下げられている。
【００２３】
この他、図中４３は三脚３３の頂部に角度調節可能に枢着したカメラ台である雲台で、該雲台４３に被収納物であるカメラ４４を同動可能に装着しており、４５，４６は雲台４３の揺動ロックハンドルと水平回動ロックハンドル、４７は雲台４３の上下位置調整軸、４８は該軸４７のロックハンドル、５０はケ−ス１の先太側の閉塞端部内に形成した凹状部で、ケ−ス１の先細側の一部を収納可能にしている。
【００２４】
なお、実施形態の三脚３３は、角度調節自在の自由雲台を用いているが、他の形式の雲台を備えたものでもよく、またパンハンドルを備えていないが、これを有するものであってもよい。
【００２５】
このように構成した本発明の三脚ケ−スは、従来のものと同様に三脚３３を収納可能な布製の袋状に構成され、その外周面に手提ベルト３０を備えている。
ただし、本発明は一対の手提ベルト３０を備え、これをケ−ス１の略中間部から先太側の端部に亘って取り付け、ショルダ−ベルトないしザックの背負ベルトとしても使用可能にしており、また手提ベルト３０を短小化して持運び時の安定化を図っている。
【００２６】
また、本発明の三脚ケ−スは、ケ−ス１の長さ方向の両端部と中間部の三箇所に束縛ベルト１７，２０，２３を取り付け、収納した三脚３３をケ−ス１と一緒に複数位置で束縛し、三脚３３の移動を拘束して、持運び時の安定性を向上させている。
更に、本発明の三脚ケ−スは、取付布９の中央部と、取付布１０の両側部にフック金具１６，２６，２７を取り付け、これらを脚３４〜３６に取り付けた装着ベルト３７〜３９の掛止リング４０〜４２に掛け止め可能にしている。
【００２７】
また、本発明の三脚ケ−スは、ケ−ス１の開口部１１の先細側端部に掛止リング１５を取り付け、これを前記フック金具１６に掛け止め可能にして、三脚ケ−スを簡易ザックとして使用する際、上蓋となるケ−ス１の先細側端部を拘束可能にしている。
【００２８】
このように構成した本発明の三脚ケ−スは、使用前は例えばケ−ス１の全体を長さ方向に沿って丸めてコンパクトにし、これを適宜手段で束縛し、若しくは適宜ケ−スに収納して携行可能にする。
または、ケ−ス１を先細側の一端から長さ方向に沿って丸めてコンパクトにし、これを束縛ベルト１７，２０および手提ベルト３０，３０と一緒に、補強布５，６の内側の凹状部５０に押し込み、携行可能にする。
この場合、後者のようにすれば専用の収納ケ−スを要さず、補強布５，６の閉塞側内部を収納ケ−スとして使用でき、至便である。
【００２９】
次に、本発明の三脚ケ−スの使用法について説明する。
この場合、本発明の三脚ケ−スは、前述のように三脚ケ−スと、いわゆるスト−ンバッグと、カメラ４４の雨避けないし防寒具と、簡易ザックとして使用できるので、このそれぞれの使用法に分けて説明する。
【００３０】
先ず、本発明の三脚ケ−スを、本来の三脚ケ−スとして使用する場合は、ケ−ス１を図１のように展張して広げ、スライドファスナ−１２を介して開口部１１を開口し、その内部に予め脚３４〜３６を縮小し、ロックナット４９で移動を拘束した三脚３３を収納する。
この場合、三脚３３の収納姿勢は特に制約ないが、相対的に防護を要する雲台４３側を袋状の補強布５，６の内側に収納すれば、当該部の外側に弾性部材７，８が位置して衝撃を緩衝するから、雲台４３側を保護し得る。
【００３１】
こうして、ケ−ス１に三脚３３を収納したところで、スライドファスナ−１２を介して開口部１１を閉塞し、三脚３３の長さに応じてケ−ス１の先細側を折り返し、また三脚３３の折り畳み幅に応じてケ−ス１の側部を幅方向に折り畳み、ケ−ス１の長さ方向の両端部と中間部を収納した三脚３３と一緒に束縛ベルト１７，２０，２３で緊縛する。この状況は図４のようである。
この場合、ケ−ス１の先細側に三脚３３の石突き側を収納すれば、先細側を折り返す面倒がない。
【００３２】
このように本発明は、ケ−ス１と三脚３３とが束縛ベルト１７，２０，２３で一緒に束縛するから、ケ−ス１内での三脚３３の移動が阻止され、三脚３３の擦過に伴うケ−ス１の損傷や磨耗を防止し得る。また、ケ−ス１の周辺を三脚３３の形状寸法に応じて折り畳んでいるから、三脚３３を収納したケ−ス１がコンパクトになり、その持ち運びが容易になる。
こうして三脚３３を収納後、手提ベルト３０，３０の一方または双方を保持し、若しくは片側ないし両側の肩に掛けて、手提ベルト３０を手提ベルトまたはショルダ−ベルト若しくは背負ベルトとして使用し、ケ−ス１と三脚３３を持ち運ぶ。
【００３３】
次に、本発明の三脚ケ−スをスト−ンバッグとして使用する場合は、図４の形態でケ−ス１と三脚３３を所定位置へ持ち運び、写真撮影に備えて束縛ベルト１７，２０，２３を緩め、スライドファスナ−１２を介して開口部１１を開口し、ケ−ス１内部から三脚３３を取り出す。
そして、脚３４〜３６を適宜伸張し、三脚３３を所望の撮影位置に設置し、前記脚３４〜３６の所定位置に装着ベルト３７〜３９を巻き付け、かつこれを束縛してロックナット４９上に掛け止め、装着ベルト３７〜３９を脚３４〜３６の同高位置に取り付ける。
この後、各掛止リング４０〜４２を脚３４〜３６の内側に位置付け、雲台４３にカメラ４４を取り付ける。
【００３４】
一方、三脚３３を取り出し後のケ−ス１は、前述した使用前の形態のように、先細側の一端から長さ方向に沿って丸めてコンパクトにし、これを束縛ベルト１７，２０および手提ベルト３０，３０と一緒に、補強布５，６の内側に押し込む
このようにすると、前記丸めたケ−ス１の先細側を含む一部がケ−ス１の他端の凹状部５０に押し込まれ、ケ−ス１の他端部が凹状の容器状に形成され、その開口縁部にフック金具１６，２６，２７が表出する。
【００３５】
そこで、前記フック金具１６，２６，２７を前記掛止リング４０〜４２に掛け止め、ケ−ス１を前記脚３４〜３６の内側に吊り下げる。この状況は図５のようである。
この後、前記ケ−ス１内に重し部材として、石やカメラ機材を収容し、三脚３３のがたつきを防止し、その安定化を図る。
【００３６】
この場合、前記ケ−ス１は脚３４〜３６の内側に位置し、三脚３３の重心と略同一の垂直線上に位置するから、従来のこの種のものに比べ、三脚３３の安定性が向上する。
また、前記ケ−ス１内には、その先細側を含むケ−ス１の略半部が一種の緩衝部材として収容されているから、石やカメラ機材を一緒に収容し、若しくは複数のカメラ機材を収容する際、それらの間に前記先細側部を介在させ、または先細側部で包み込むことで、カメラ機材の接触ないし損傷を未然に防止し得る。
【００３７】
更に、本発明の三脚ケ−スをカメラ４４の雨避けないし防寒具として使用する場合は、例えば図５の撮影時若しくは撮影終了時、ケ−ス１から前記重し部材を取り出し、フック金具１６，２６，２７を前記掛止リング４０〜４２から取り外す。
そして、ケ−ス１の内部から前記先細側部を取り出し、該ケ−ス１を図１のように展張して、スライドファスナ−１２を介し開口部１１を開口する。
この状態でケ−ス１を保持し、その開口部１１を介してケ−ス１の先太側内部にカメラ４４を収納する。
【００３８】
この後、開口部１１の内部に上下位置調整軸４７を収納し、該軸４７の下方に垂れ下がったケ−ス１の先細側部を折り返し、この折り返し部を補強布５上に重合する。
この状態で係止爪１８をソケット１９に嵌合し、束縛ベルト１７を介してケ−ス１の先細側と先太側の両端部を束縛し、その内部にカメラ４４を密封する。この状態は図６のようである。
【００３９】
このようにすると、カメラ４４がケ−ス１の先太側内部に密封され、その上に先細側が重合配置されているから、雨水や雪等からカメラ４４を確実に防護でき、またカメラ４４の外側に断熱効果を奏する弾性部材７，８が配置されているから、カメラ４４の防寒作用を果たし、寒冷地でのカメラ４４の作動不良を防止できる。
【００４０】
この場合、束縛ベルト１７による束縛に加え、束縛ベルト２０によってケ−ス１を束縛すれば、前記防護作用や防寒作用が一層向上する。
また、仮に三脚３３が風等で転倒しても、前記密封構造や弾性部材７，８によって、カメラ４４の破損を防止できる。
なお、図６の状態から脚３４〜３６を閉脚して三脚３３を移動することで、前記状態を維持したまま、カメラ４４を安全に持ち運ぶことができる。
【００４１】
次に、本発明の三脚ケ−スを簡易ザックとして使用する場合は、スライドファスナ−１２を介して開口部１１を開口し、その内部に適宜収納物を収納後、ケ−ス１の先細側を表側布２側に折り返して重合し、フック金具１６を掛止リング１５に掛け止め、前記先細側部をザックの上蓋に機能させる。
【００４２】
このようにすることで、ケ−ス１が束縛ベルト２０を中心にコンパクトに折り畳まれ、ザックの体裁を整える一方、手提リング２９を介してケ−ス１を簡便に持ち運べ、また手提ベルト３０，３０の一方または両方を肩に掛け、これをショルダ−ベルトとして使用することで、その持ち運びが一層容易になる。
【００４３】
そして、例えば手提ベルト３０，３０の両方を肩に掛け、背負ベルトとして使用することで、その持ち運びが容易になる。
なお、束縛ベルト１７によって前記上蓋をケ−ス１の先太側に束縛すれば、上蓋の揺動を防止し収納物の移動を拘束して、その安定性が向上し、持ち運びが一層容易になる。
【００４４】
【発明の効果】
以上のように、請求項１の発明は、ケ−スのケ−ス回り周面に少なくとも三個の掛止具を設けたから、三脚を収納したケ−スを手提ベルトによって簡便に持ち運べるとともに、前記掛止具を介して三脚の所定位置に簡単に取り付けられ、三脚ケ−スのスト−ンバッグとしての使用を実現し、また簡易なザックとしても使用可能にして、多様な用途に応じられる効果がある。
請求項２の発明は、前記掛止具を前記ケ−スの一側端の閉塞端部側に設けたから、三脚ケ−スのスト−ンバッグとしての使用と、該バッグのコンパクト化を図ることができる。
請求項３の発明は、前記ケ−スのケ−ス回り周面に、三個の掛止具を略等間隔に設けたから、三脚ケ−スをスト−ンバッグとして使用する際、掛止具を介して三脚の脚の内側にケ−スを容易かつ安定して取り付けられ、三脚ケ−スとスト−ンバッグの重心位置を整合させて、三脚の安定性を向上することができる。
【００４５】
請求項４の発明は、前記ケ−スの閉塞端部の内側に、前記ケ−スの他側端部から前記閉塞端部に亘る、ケ−スの一部を収容可能な凹状部を形成可能にし、該凹状部の開口縁部に前記掛止具を配置可能にしたから、前記凹状部に重し部材を収容可能にし、また掛止具を三脚の脚に容易に取り付けられ、三脚ケ−スのスト−ンバッグとしての使用を実現できる一方、前記凹状部にケ−スの一部を収容可能にすることで、石やカメラ器具等を重し部材として使用する際、それらの間にケ−スの一部を介在させ、またはケ−スで包む等して、カメラ器具の損傷を防止することができる。
請求項５の発明は、前記掛止具の一個を、前記開口部と同側のケ−スの一側面の幅方向の略中央に設け、前記掛止具の二個を前記ケ−スの他側面の幅方向の略両端部に設けたから、スト−ンバッグとして使用可能な具体的かつ製作容易な三脚ケ−スを提供することができる。
【００４６】
請求項６の発明は、前記ケ−スの閉塞端部側を、ケ−スの他側端部よりも大径ないし幅広に形成したから、三脚ケ−スをスト−ンバッグや雨避け、防寒具として使用する際、重し部材の収容スペ−スを確保し、また種々のカメラの被着に応じられるとともに、三脚の石突き側をケ−スの先細側に収納することで、三脚収納後にケ−スを幅方向への折り返して束縛する際、先細側の折り返しの面倒を解消することができる。
請求項７の発明は、前記ケ−スの閉塞端部周辺に、柔軟な弾性部材を封入したから、三脚ケ−スを雨避けや防寒具として使用する際、浸水防止効果や断熱効果を向上し、更に緩衝効果を持たせて、カメラ等を防護することができる。
【００４７】
請求項８の発明は、前記ケ−スの両端部と中間部に独自に束縛可能な束縛ベルトを設け、該束縛ベルトを介して当該ケ−ス回りを束縛可能にしたから、三脚とケ−スを一緒に束縛して、ケ−ス内での三脚の移動を防止し、ケ−スの損傷や磨耗を防止するとともに、三脚を収納したケ−スを安定して持ち運ぶことができる
請求項９の発明は、前記ケ−スの閉塞端部内に被収納物を収納可能に設けるとともに、前記ケ−スの他側端部側を折り返し可能に設け、該ケ−スの他側端部を前記閉塞端部側周面に重合し、これらケ−スの他側端部と閉塞端部とを前記束縛ベルトを介して束縛可能にしたから、写真撮影時のカメラの雨避けや防寒効果を得られ、またカメラ等をケ−ス内に密封し得ることで、前記効果を向上することができる。
【００４８】
請求項１０の発明は、前記ケ−スの他側端部側を、前記中間部の束縛ベルトを中心に前記ケ−スの一側面側に折り返し可能に設けるとともに、前記ケ−スの一側面の他側端部に掛止具を設け、該掛止具を同側面の前記掛止具に掛け止め可能にしたから、三脚ケ−スを簡易なザックとして容易に使用することができる。
請求項１１の発明は、前記ケ−スの他側面に、前記中間部の束縛ベルト位置からケ−スの一側端部に亘って、前記手提ベルトを配置したから、手提ベルトの短小化と持ち運び時の安定化を図れるとともに、三脚ケ−スを簡易ザックとして使用する際のショルダ−ベルトないし背負ベルトに好適な効果がある。
【図面の簡単な説明】
【図１】本発明の三脚ケ−スを展張した状況を示す斜視図で、各束縛ベルトを取り外している。
【図２】本発明の三脚ケ−スを展張した状況を示す斜視図で、図１の底面図に相当している。
【図３】図１のＡ−Ａ線に沿う断面図である。
【図４】本発明の三脚ケ−スに三脚を収納し、ケ−スを折り返しかつ折り畳み、各束縛ベルトでケ−スを束縛して持ち運ぶ状況を示す斜視図である。
【図５】本発明の三脚ケ−スを、写真撮影時にスト−ンバッグとして使用している状況を示す斜視図である。
【図６】本発明の三脚ケ−スを、写真撮影時に雨避けないし防寒具として使用している状況を示す斜視図である。
【図７】本発明の三脚ケ−スを簡易ザックとして使用している状況を示す斜視図である
【図８】本発明の三脚ケ−スを簡易ザックとして使用している状況を示す斜視図で、図７の背面状況を示している。
【符号の説明】
１                          ケ−ス
７，８                      弾性部材
１１                        開口部
１５                        掛止具（掛止リング）
１６，２６，２７            掛止具（フック金具）
１７，２０，２３            束縛ベルト
３０                        手提ベルト
３３                        三脚
４４                        被収納物（カメラ）
５０                                  凹状部
【図１】
2004338739.tif 000003
【図２】
2004338739.tif 000004
【図３】
2004338739.tif 000005
【図４】
2004338739.tif 000006
【図５】
2004338739.tif 000007
【図６】
2004338739.tif 000008
【図７】
2004338739.tif 000009
【図８】
2004338739.tif 000010